(57)【特許請求の範囲】
【請求項１】
本体ケースと、
前記本体ケース内に設けられた商品の陳列室と、
前記陳列室を囲み冷気を循環案内する冷気通路と、
前記陳列室の背面側の前記冷気通路に配置された熱交換器と、
前記熱交換器の上方に配置され前記冷気通路内に取付けられて冷気を循環させるファンと、
前記陳列室と前記陳列室の背面側の前記冷気通路とを区切るパネルと、
前記ファンを着脱可能に取付け、前記ファンの位置を固定するファンユニットと、
を備え、
前記ファンユニットは、前記ファンがねじ止めによって取り付けられるファン取付孔を備えた対向面と、前記対向面から延出し前記ファンユニットを前記冷気通路内にねじ止めするための上延出部および下延出部とを有し、
前記パネルは高さ方向に分割された複数の分割パネルで構成され、
前記ファンが配置される位置は、前記複数の分割パネルのうち１つの分割パネルの背面側の位置であって、該複数の分割パネルのうち１つの分割パネルを取り外したときに前記ファンの取付け箇所にアクセス可能な位置であり、
前記ファンユニットは、前記複数の分割パネルのうち１つの分割パネルを取り外したときに前記ファンユニットの取付け位置にアクセス可能な位置に配置され、
前記ファンのねじ止め箇所および前記ファンユニットのねじ止め箇所は、前記複数の分割パネルのうち１つの分割パネルを取り外したときにアクセス可能な位置に配置された
ショーケース。
【発明の詳細な説明】
【技術分野】
【０００１】
本発明は、冷気ダクト内にファンを設けるショーケースに関する。
【背景技術】
【０００２】
従来、例えばコンビニエンスストアやスーパーマーケット等に設置されるショーケースでは、陳列室の下方側のデックパン内部に下部ダクトが設けられ、陳列室の背面側には、下部ダクトと接続される背面ダクトが設けられ、陳列室の上方側には、背面ダクトに接続される天井ダクトが設けられている。
この種のショーケースの陳列室には、複数段の棚が設けられて折り、また、陳列室と背面ダクトとの間は、１枚のパネルで仕切られている（例えば、特許文献１参照）。
【先行技術文献】
【特許文献】
【０００３】
【特許文献１】特開２００５−１２０９９１号公報
【発明の概要】
【発明が解決しようとする課題】
【０００４】
しかしながら、陳列室と背面ダクトとの間を１枚のパネルで仕切る場合、例えばファンなど定期点検が必要な部材が背面ダクトに配置されている状況であっても、陳列室内のすべての棚やパネルを外さなければ背面ダクトにアクセスできないという問題があった。
本発明は、上述した事情に鑑みてなされたものであり、背面ダクトにアクセスが容易なショーケースを提供することを目的とする。
【課題を解決するための手段】
【０００５】
上記目的を達成するために、本発明は、本体ケースと、前記本体ケース内に設けられた商品の陳列室と、前記陳列室を囲み冷気を循環案内する冷気通路と、前記陳列室の背面側の前記冷気通路に配置された熱交換器と、前記熱交換器の上方に配置され前記冷気通路内に取付けられて冷気を循環させるファンと、前記陳列室と前記陳列室の背面側の前記冷気通路とを区切るパネルと、前記ファンを着脱可能に取付け、前記ファンの位置を固定するファンユニットと、を備え、前記ファンユニットは、前記ファンがねじ止めによって取り付けられるファン取付孔を備えた対向面と、前記対向面から延出し前記ファンユニットを前記冷気通路内にねじ止めするための上延出部および下延出部とを有し、前記パネルは高さ方向に分割された複数の分割パネルで構成され、前記ファンが配置される位置は、前記複数の分割パネルのうち１つの分割パネルの背面側の位置であって、該複数の分割パネルのうち１つの分割パネルを取り外したときに前記ファンの取付け箇所にアクセス可能な位置であり、前記ファンユニットは、前記複数の分割パネルのうち１つの分割パネルを取り外したときに前記ファンユニットの取付け位置にアクセス可能な位置に配置され、前記ファンのねじ止め箇所および前記ファンユニットのねじ止め箇所は、前記複数の分割パネルのうち１つの分割パネルを取り外したときにアクセス可能な位置に配置されたことを特徴とする。
【発明の効果】
【０００８】
本発明によれば、高さ方向に分割した分割パネルによりパネルを構成しているため、分割パネルの１つを外すことで背面ダクトにアクセスできる。背面ダクトにアクセスが容易なショーケースを提供できる。
【図面の簡単な説明】
【０００９】
【図１】本発明の実施形態に係るショーケースの縦断側面図である。
【図２】ショーケース下方を拡大した縦断側面図である。
【図３】棚と中央パネルを外した状態におけるショーケースの斜視図である。
【図４】棚と中央パネルを外した状態におけるショーケースの正面図である。
【図５】パネルの斜視図である。
【発明を実施するための形態】
【００１０】
以下、図面を参照して本発明の実施形態について説明する。
図１は、本発明の実施形態に係る棚２６を外した状態のショーケース１の縦断側面図である。図２は、ショーケース１の下方を拡大した縦断側面図である。図３は、棚２６と中央パネル７２を外した状態におけるショーケース１の斜視図である。図４は、棚２６と中央パネル７２を外した状態におけるショーケース１の正面図である。図５は、パネル１１の斜視図である。
なお、以下では、ショーケース１を正面から見た場合を基準として、上下前後左右としている。
【００１１】
ショーケース１は、本体ケース３を備えている。本体ケース３の下方には、機械室６０が設けられている。
本体ケース３は、前面が開口する断面略コ字状の断熱壁２を備えている。この断熱壁２の側面には、側板５が取付けられている。断熱壁２の内側には、断熱壁２と所定の間隔を存して天井板１０、パネル１１、底板１２、が取り付けられている。天井板１０と断熱壁２との間隔には、天井ダクト２０が形成されている。パネル１１と断熱壁２との間隔には、背面ダクト２１が形成されている。底板１２と断熱壁２との間隔には、下部ダクト２２が形成されている。この下部ダクト２２は、背面ダクト２１の下部に接続されている。背面ダクト２１の上部は、天井ダクト２０に接続されている。
この下部ダクト２２、背面ダクト２１、および天井ダクト２０は、陳列室８を囲み冷気を循環案内する冷気通路５０を構成している。また、背面ダクト２１は、陳列室の背面側の冷気通路を構成している。
【００１２】
側板５、天井板１０、パネル１１、および底板１２の内側には、陳列室８が設けられている。この陳列室８の前面には、開口部９が設けられている。
陳列室８には、背部の支柱に着脱自在に取り付けられる一対のブラケット２５及びこれらに保持された棚２６が複数段、本実施の形態では５段架設されている。底板１２上にはデックパン２７が取り付けられている。これらの棚２６及びデックパン２７上に商品が陳列される。
棚２６は、着脱自在に架設されており、棚を架設する高さ位置を変えることができる。また、棚２６及びデックパン２７は前方に引き出し自在とされている。棚２６やデックパン２７上に商品を補充する際には、開口部９より前方に引き出して作業を行うことができるように構成されている。
【００１３】
開口部９の上縁には、冷気吐出口２８が形成されている。この冷気吐出口２８は、天井ダクト２０に連通している。開口部９の下縁には、冷気吸込口２９が形成されている。この冷気吸込口２９は、下部ダクト２２に連通している。
【００１４】
背面ダクト２１は、下部に設けられる背面下部ダクト１７と、上部に設けられる背面上部ダクト１８と、を備えている。
背面下部ダクト１７の内部には、冷却装置の冷凍サイクルを構成する熱交換器３０が設けられている。この熱交換器３０は、背面ダクト２１の左右方向に長く形成されており、正面視で略矩形に形成されている。
熱交換器３０に発生する結露水は、図１および図２に示すように、背面ダクト２１から下部ダクト２２へ流れ、下部ダクト２２から機械室６０に流れ落ちるようにされている。
【００１５】
背面下部ダクト１７と背面上部ダクト１８とは、熱交換器を囲う仕切カバー１９で仕切られている。この仕切カバー１９は、熱交換器３０の陳列室８側の側方に設けられる側方カバー１９Ｂと、熱交換器３０のすぐ上方に設けられる上方カバー１９Ａとで構成されている。上方カバー１９Ａには、上面視で略矩形の通気孔（不図示）が備えられている。上方カバー１９Ａの上部には、この通気孔を塞ぐようにしてファンユニット４０が取付けられている。
【００１６】
ファンユニット４０は、上方カバー１９Ａに取付けられるユニット本体４１と、ユニット本体４１に着脱自在に取付けられるファン４３と、を備えている。
ファンユニット４０は、上面視で熱交換器３０の上面を覆うように配置されている。このファンユニット４０の長辺方向の長さは、熱交換器３０の長辺方向の長さと略一致して設けてもよい。ファンユニット４０の長辺方向の長さと熱交換器３０の長辺方向の長さとを略一致して設けることで、熱交換器３０の熱交換による冷気を効率よく循環させることができる。
【００１７】
ファンユニット４０およびファン４３は、熱交換器３０の熱交換による冷気が循環する冷気通路のうち、熱交換器３０よりも下流側に配置されている。本実施の形態では、熱交換器３０のすぐ下流側、すなわち熱交換器３０のすぐ上方に設けられる上方カバー１９Ａにファンユニット４０が取り付けられている。ファンユニット４０と熱交換器３０との距離が近いため、ファン４３により熱交換器３０の熱交換による冷気を効率よく循環させることができる。また、ファンユニット４０を上方カバー１９Ａに取り付けるため、上方カバー１９Ａとファンユニット４０との間に別部材を設ける必要がなく部品点数を削減できる。
【００１８】
ユニット本体４１は、上面視で略矩形に形成されている。
このユニット本体４１は、ファンユニット４０をショーケース１に取付けた状態で熱交換器３０の上面と対向する対向面４５と、対向面４５の長辺の一辺から上方に延出する上延出部４６と、対向面４５の長辺の他辺から下方に延出する下延出部４７とを備えている。
ユニット本体４１は、通気孔（不図示）を塞ぐように上方カバー１９Ａの上方に配置されている。上延出部４６は、断熱壁２にねじ止めにより固定されている。下延出部４７は、側方カバー１９Ｂにねじ止めにより固定されている。
【００１９】
対向面４５は、熱交換器３０の側から流れる冷却風を遮蔽する遮蔽部４９と、ファン４３が取り付けられるファン取付孔４８と、を備えている。
ファン取付孔４８は、横一列に複数設けられている。本実施の形態では、ファン取付孔４８は、隣り合うファン取付孔４８と間隔を均等にしてユニット本体４１の長辺と平行の方向に７箇所設けられている。
【００２０】
ファン取付孔４８には、ファン４３がそれぞれ備えられる。ファン４３は、熱交換器３０の熱交換による冷気を、下部ダクト２２、背面ダクト２１、天井ダクト２０を経由して陳列室８の開口部９から冷気エアーカーテンを形成して下部ダクト２２に戻るよう循環させる。冷気は、背面ダクト２１内に設けられるこのファン４３のみにより、循環されている。
【００２１】
図３に示すように、ファン４３は、平面視で略正方形に形成されたファンフレーム５１を備えている。ファン４３は、ファンフレーム５１の対角線上に位置する２つの隅部を、ねじ５５により上方向から対向面４５にねじ止めすることで、ユニット本体４１に取り付けられている。ファン４３は、隣り合うファン４３と間隔を均等にしてユニット本体４１の長辺と平行の方向に７箇所設けられている。また、この７箇所のファン４３は、横一列に配置されている。
【００２２】
ファン４３は、本実施の形態では軸流ファンとして構成されている。このファン４３は、熱交換器３０の上面と略平行に配置されており、熱交換器３０の上面と垂直上方向に送風可能に配置されている。このファン４３は、軸流ファンに限らず、送風機としての機能を備えるものであればよい。
ファン４３の出力は、例えば、各々が０．５〜２Ｗの範囲内に設定することができる。この場合、ファンが大型化せずに、背面ダクト２１内部にファン４３を配置し易い。
なお、このファン４３を設ける数は、ショーケース１に備えられる熱交換器３０の熱交換による冷気を循環させるために必要な数に、適宜に変更が可能である。また、ファン４３を設ける数は、ファン４３の性能により適宜に変更が可能である。
【００２３】
このように、横一列に配置された複数のファン４３は、１つのファンユニット４０に搭載されている。ファンユニット４０の位置を決めることで、複数のファン４３すべての位置を同時に決めることができる。
なお、本実施の形態では、ファン４３がファンユニット４０に複数備えられているが、必ずしもファン４３がファンユニット４０に備えられている必要はなく、ファンのみを背面ダクト２１内であり、かつ、背面ダクト２１内に設けられる熱交換器３０の上方に配置してもよい。
【００２４】
陳列室８の奥側両端部には、ショーケース１の支柱から陳列室８内に延出する支柱固定部８０が設けられている。
図５に示すように、パネル１１は、高さ方向に３つに分割されており、一番上に設けられる上部パネル（分割パネル）７０と、上部パネル７０のすぐ下方に設けられる中央パネル（分割パネル）７２と、中央パネル７２のすぐ下方でありパネル１１の一番下に設けられる下部パネル（分割パネル）７３とを備えている。
上部パネル７０、中央パネル７２、および下部パネル７３は、それぞれが正面視で略矩形に形成されている。
上部パネル７０、中央パネル７２、および下部パネル７３の両端部には、それぞれが段状に折り曲げられたパネル固定部７４が形成されている。パネル固定部７４は、支柱固定部８０にねじ止めされている。
【００２５】
下部パネル７３と断熱壁２との間には、背面下部ダクト１７が形成され、側方カバー１９Ｂを介して熱交換器３０が配置されている。
中央パネル７２と断熱壁２との間には、ファンユニット４０が配置されている。
上部パネル７０と断熱壁２との間には、背面上部ダクト１８が形成されている。
【００２６】
下部パネル７３の上端７３Ａは、ファンユニット４０の下延出部４７と略平行に形成されている。上端７３Ａの高さは、下延出部４７の下端４７Ａの高さ以下となるよう形成できる。
上部パネル７０の下端７０Ａは、ファンユニット４０の上延出部４６と略平行に形成されている。下端７０Ａの高さは、上延出部４６の上端４６Ａの高さ以上となるよう形成できる。ファン４３の取り外しを考慮すると、下端７０Ａの高さは、ねじ５５を外し易いよう上延出部４６の上端４６Ａの高さより所定の高さ（例えば１０ｃｍ）以上の高さとすることもできる。
このように上端７３Ａおよび下端７０Ａの高さ位置を決めることで、中央パネル７２を外したのみでファンユニット４０を露出させることができる。
【００２７】
次に、本実施の形態の作用を説明する。
ファンユニット４０の点検を行う場合、中央パネル７２のみを取り外す。このとき、ファンユニット４０の全体が視認できるため、ファンユニット４０の点検を行うことができる。
【００２８】
ファンユニット４０を取り外す場合、まず、中央パネル７２のみを取り外す。このとき、側方カバー１９Ｂにねじ止め固定されている下延出部４７にアクセス可能となるため、下延出部４７に固定されているねじを外す。また、中央パネル７２を外すと断熱壁２にねじ止め固定されている上延出部４６にアクセス可能となるため、上延出部４６に固定されているねじを外す。
ファンユニット４０は、仕切カバー１９から取り外し、ショーケース１から取り出す。
【００２９】
ファンユニット４０に取り付けられているファン４３の点検、およびファン４３の交換を行う場合、まず、中央パネル７２のみを取り外す。このとき、ファン４３を視認できるため、ファン４３の点検が可能となる。ファン４３の交換が必要な場合には、交換が必要となるファン４３のみを交換する。
【００３０】
以上説明したように、本実施の形態によれば、本体ケース３と、本体ケース３内に設けられた商品の陳列室８と、陳列室８を囲み冷気を循環案内する冷気通路５０と、陳列室８の背面側の冷気通路５０に配置された熱交換器３０と、冷気通路５０内で、かつ、熱交換器３０の上方に配置されて冷気を循環させるファン４３と、陳列室８と陳列室８の背面側の冷気通路５０とを区切るパネル１１をさらに備え、パネル１１は高さ方向に分割された複数の分割パネルで構成した。
この構成によれば、複数の分割パネルのうち１つを取り外すのみで背面ダクト２１に容易にアクセスできる。
なお、分割パネルの数は適宜に変更が可能である。
【００３１】
また、本実施の形態によれば、ファン４３は、複数の分割パネルのうち１つの分割パネルの背面側に配置した。
この構成によれば、ファン４３の点検および交換が必要な場合に、当該ファン４３の前面に位置する分割パネルのみを取り外すことで、ファン４３に容易にアクセスできる。
【００３２】
また、本実施の形態によれば、分割パネルは上部パネル７０、中央パネル７２、および下部パネル７３の３つであり、ファン４３は、分割パネルのうち真ん中の分割パネルである中央パネル７２の背面側に配置した。
この構成によれば、背面ダクト２１内であり熱交換器３０の上方に位置するファン４３の位置にあわせて中央パネル７２の位置を形成することができ、中央パネル７２のみを取り外すことでファン４３に容易にアクセスできる。ファン４３の点検や交換を容易にできる。
【００３３】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００３４】
１  ショーケース
３  本体ケース
８  陳列室
９  開口部
１１  パネル
１９  仕切カバー
１９Ａ  上方カバー
１９Ｂ  側方カバー
２０  天井ダクト
２１  背面ダクト（陳列室の背面側の冷気通路）
２２  下部ダクト
２７  デックパン
３０  熱交換器
４０  ファンユニット
４１  ユニット本体
４３  ファン
４５  対向面
４６  上延出部
４６Ａ  上延出部の上端
４７  下延出部
４７Ａ  下延出部の下端
５０  冷気通路
５５  ねじ
７０  上部パネル（分割パネル）
７０Ａ  上部パネルの下端
７２  中央パネル（分割パネル）
７３  下部パネル（分割パネル）
７３Ａ  下部パネルの上端
７４  パネル固定部
８０  支柱固定部
【図１】
0006692076.tif 000002
【図２】
0006692076.tif 000003
【図３】
0006692076.tif 000004
【図４】
0006692076.tif 000005
【図５】
0006692076.tif 000006